(57)【要約】【課題】  引き戸の框の内側に取付けられた鉤部材を戸枠に取付けられた受け金具の掛止部に確実に掛止させて施錠を行うことが可能な引き戸錠を提供する。【解決手段】  戸枠１１に取付けられた引き戸１２の框１３の内側に取付けられ、回動して出入する鉤部材１４を備えた鉤部材駆動部１５と、戸枠１１に取付けられて鉤部材１４が嵌入して掛止する掛止部１８を有する受け金具１９と、框１３の外側に取付けられ引き戸１２の外側から鉤部材駆動部１５を操作する室外操作部２０と、框１３の内側に取付けられ引き戸１２の内側から鉤部材駆動部１５を操作する室内操作部１６を有し、受け金具１９は引き戸１２の框１３が当接する戸枠１１の内側に突出して設けられ、閉めた状態の引き戸１２と戸枠１１の隙間から鉤部材１４の操作ができない。【選択図】        図３
2005163376.tif 000002
【特許請求の範囲】
【請求項１】
戸枠に横移動可能に取付けられた引き戸の框の内側に取付けられ、回動して出入する鉤部材を備えた鉤部材駆動部と、前記鉤部材に対向して前記戸枠に取付けられて前記鉤部材が嵌入して掛止する掛止部を有する受け金具と、前記框の外側に取付けられ、前記鉤部材駆動部と連通して、前記引き戸の外側から前記鉤部材駆動部を操作する室外操作部と、前記框の内側に取付けられ、前記鉤部材駆動部と連通して、前記引き戸の内側から前記鉤部材駆動部を操作する室内操作部とを有する引き戸錠であって、
前記受け金具は、前記引き戸の框が当接する前記戸枠の内側に突出して設けられ、閉めた状態の前記引き戸と前記戸枠の隙間から、前記鉤部材の操作ができないことを特徴とする引き戸錠。
【請求項２】
戸枠に横移動可能に取付けられた引き戸の框の内側に取付けられ、回動して出入する鉤部材を備えた鉤部材駆動部と、前記鉤部材に対向して前記戸枠に取付けられて前記鉤部材が嵌入して掛止する掛止部を有する受け金具と、前記框の外側に取付けられ、前記鉤部材駆動部と連通して、前記引き戸の外側から前記鉤部材駆動部を操作する室外操作部と、前記框の内側に取付けられ、前記鉤部材駆動部と連通して、前記引き戸の内側から前記鉤部材駆動部を操作する室内操作部とを有する引き戸錠であって、
前記鉤部材駆動部には、前記引き戸を閉じる際に前記受け金具に先部が当接して後退する検出部材と、
前記検出部材の先部が前記受け金具に当接し、前記引き戸を更に閉めて前記框と前記戸枠との距離が第１の近接距離になるまでに、前記検出部材の後退に伴い前記鉤部材を回動させて該鉤部材の先部を前記受け金具内に押し込むリンク機構と、
前記引き戸を更に閉めて前記検出部材が前記框と前記戸枠との距離が第２の近接距離となったことを検知し前記リンク機構を更に強制的に作動させて前記鉤部材を前記掛止部に引っかけて施錠を行ない、前記室外操作部、及び前記室内操作部のいずれか一方からの解錠信号を受信し前記リンク機構を強制的に反転作動させて前記鉤部材を前記掛止部から外して解錠を行う電動機構とを有することを特徴とする引き戸錠。
【請求項３】
請求項２記載の引き戸錠において、前記受け金具は、前記引き戸の框が当接する前記戸枠の内側に突出して設けられていることを特徴とする引き戸錠。
【請求項４】
請求項２及び３のいずれか１項に記載の引き戸錠において、前記室外操作部には、前記リンク機構を反転作動させて前記鉤部材を前記掛止部から外して解錠を行う鍵を挿入する鍵穴と、前記電動機構に前記解錠信号の１つを送るテンキー操作盤が設けられ、
前記室内操作部には、前記リンク機構を反転作動させて前記鉤部材を前記掛止部から外して解錠を行う解錠つまみと、前記電動機構に前記解錠信号の１つを発信させる解錠スイッチと、室内から前記引き戸に接近する人を人感センサで検知し前記電動機構に前記解錠信号の１つを発信させる人感解錠手段が設けられ、
前記電動機構には、前記解錠スイッチ又は前記人感解錠手段によるいずれかの前記解錠信号を遮断し、解錠が行われた際には警報音を出す警戒手段が設けられていることを特徴とする引き戸錠。
【請求項５】
請求項４記載の引き戸錠において、前記警戒手段は前記テンキー操作盤から前記電動機構に送られる設定信号により作動することを特徴とする引き戸錠。
【請求項６】
請求項４及び５のいずれか１項に記載の引き戸錠において、前記室外操作部及び前記室内操作部には、共通の無線リモコンと、該無線リモコンからの前記解錠信号の１つ及び／又は前記警戒手段への設定信号を受信し前記電動機構に送る受信手段が設けられていることを特徴とする引き戸錠。
【発明の詳細な説明】
【技術分野】
【０００１】
本発明は、引き戸錠に係り、更に詳細には引き戸の框とこの框に対面する戸枠に取付けて引き戸の施解錠を行う引き戸錠に関する。
【背景技術】
【０００２】
従来、図１３に示すように、回動自在の鎌形の鉤部材１０１と、この鉤部材１０１に係脱させることができるロック部材１０２を引き戸１００の框１００ａに設け、ロック部材１０２が鉤部材１０１から外れたときこの鉤部材１０１を引き戸１００の框１００ａの端面から突出させてその先端を戸枠１０３の端部に配置した受け金具１０４内の係止具１０５に掛止する形式の引き戸用錠１０６が提案されている。
ここで、ロック部材１０２を鉤部材１０１に係脱させるための作動体１０７の端面と戸枠１０３の端面とに、互いに磁気反発するマグネット１０８、１０９をそれぞれ配置し、引き戸１００を閉めると、作動体１０７の端面に配置されているマグネット１０８と戸枠１０３の端面に配置されているマグネット１０９とが互いに磁気反発し、作動体１０７が引き戸１００の奥の方に移動し、ロック部材１０２が作動して鉤部材１０１との係止状態が解除される。これによって、鉤部材１０１の先側が引き戸１００の框１００ａの端面から突出し、係止具１０５に掛止され自動的に施錠状態にすることができる（例えば、特許文献１参照）。
【０００３】
【特許文献１】特開２００３−２４７３６８号公報
【発明の開示】
【発明が解決しようとする課題】
【０００４】
しかしながら、特許文献１に記載された引き戸用錠１０６では、引き戸１００を閉めたときに框１００ａと戸枠１０３の間に隙間が発生しやすく、この隙間に、例えば板を挿入して鉤部材１０１に外力を加えると、鉤部材１０１と係止具１０５の係合を容易に解除することができる。このため、引き戸１００を施錠していても不法侵入を受けやすいという問題が生じる。
また、マグネット１０８、１０９は一般に脆いため、使用中に衝撃を受けているとマグネット１０８、１０９に割れが生じて磁気反発力が低下し、作動体１０７の移動が不完全になりロック部材１０２が鉤部材１０１から外れない場合が生じる。
更に、引き戸１００を勢いよく閉じると、引き戸１００が閉じた瞬間は鉤部材１０１が突出して係止具１０５と係合するものの、戸枠１０３に当たった勢いで引き戸１００が跳ね返るときに、引き戸１００の移動力によって鉤部材１０１と係止具１０５との係合が解けてしまう事態が発生するという問題がある。
【０００５】
本発明はかかる事情に鑑みてなされたもので、引き戸を閉めた際に、引き戸の框の内側に取付けられた鉤部材を、鉤部材に対向して戸枠に取付けられた受け金具の掛止部に確実に掛止させて施錠を行うことが可能な引き戸錠を提供することを目的とする。
【課題を解決するための手段】
【０００６】
前記目的に沿う請求項１記載の引き戸錠は、戸枠に横移動可能に取付けられた引き戸の框の内側に取付けられ、回動して出入する鉤部材を備えた鉤部材駆動部と、前記鉤部材に対向して前記戸枠に取付けられて前記鉤部材が嵌入して掛止する掛止部を有する受け金具と、前記框の外側に取付けられ、前記鉤部材駆動部と連通して、前記引き戸の外側から前記鉤部材駆動部を操作する室外操作部と、前記框の内側に取付けられ、前記鉤部材駆動部と連通して、前記引き戸の内側から前記鉤部材駆動部を操作する室内操作部とを有する引き戸錠であって、
前記受け金具は、前記引き戸の框が当接する前記戸枠の内側に突出して設けられ、閉めた状態の前記引き戸と前記戸枠の隙間から、前記鉤部材の操作ができない。
【０００７】
前記目的に沿う請求項２記載の引き戸錠は、戸枠に横移動可能に取付けられた引き戸の框の内側に取付けられ、回動して出入する鉤部材を備えた鉤部材駆動部と、前記鉤部材に対向して前記戸枠に取付けられて前記鉤部材が嵌入して掛止する掛止部を有する受け金具と、前記框の外側に取付けられ、前記鉤部材駆動部と連通して、前記引き戸の外側から前記鉤部材駆動部を操作する室外操作部と、前記框の内側に取付けられ、前記鉤部材駆動部と連通して、前記引き戸の内側から前記鉤部材駆動部を操作する室内操作部とを有する引き戸錠であって、
前記鉤部材駆動部には、前記引き戸を閉じる際に前記受け金具に先部が当接して後退する検出部材と、
前記検出部材の先部が前記受け金具に当接し、前記引き戸を更に閉めて前記框と前記戸枠との距離が第１の近接距離になるまでに、前記検出部材の後退に伴い前記鉤部材を回動させて該鉤部材の先部を前記受け金具内に押し込むリンク機構と、
前記引き戸を更に閉めて前記検出部材が前記框と前記戸枠との距離が第２の近接距離となったことを検知し前記リンク機構を更に強制的に作動させて前記鉤部材を前記掛止部に引っかけて施錠を行ない、前記室外操作部、及び前記室内操作部のいずれか一方からの解錠信号を受信し前記リンク機構を強制的に反転作動させて前記鉤部材を前記掛止部から外して解錠を行う電動機構とを有する。
ここで、第２の近接距離を、引き戸を勢いよく閉じたときの引き戸の跳ね返り距離より長く設定しておくと、引き戸を閉じたときに跳ね返りが生じても確実に鉤部材を掛止部に引っかけることができる。
【０００８】
請求項３記載の引き戸錠は、請求項２記載の引き戸錠において、前記受け金具は、前記引き戸の框が当接する前記戸枠の内側に突出して設けられている。
【０００９】
請求項４記載の引き戸錠は、請求項２及び３記載の引き戸錠において、前記室外操作部には、前記リンク機構を反転作動させて前記鉤部材を前記掛止部から外して解錠を行う鍵を挿入する鍵穴と、前記電動機構に前記解錠信号の１つを送るテンキー操作盤が設けられ、
前記室内操作部には、前記リンク機構を反転作動させて前記鉤部材を前記掛止部から外して解錠を行う解錠つまみと、前記電動機構に前記解錠信号の１つを発信させる解錠スイッチと、室内から前記引き戸に接近する人を人感センサで検知し前記電動機構に前記解錠信号の１つを発信させる人感解錠手段が設けられ、
前記電動機構には、前記解錠スイッチ又は前記人感解錠手段によるいずれかの前記解錠信号を遮断し、解錠が行われた際には警報音を出す警戒手段が設けられている。
【００１０】
請求項５記載の引き戸錠は、請求項４記載の引き戸錠において、前記警戒手段は前記テンキー操作盤から前記電動機構に送られる設定信号により作動する。
【００１１】
請求項６記載の引き戸錠は、請求項４及び５記載の引き戸錠において、前記室外操作部及び前記室内操作部には、共通の無線リモコンと、該無線リモコンからの前記解錠信号の１つ及び／又は前記警戒手段への設定信号を受信し前記電動機構に送る受信手段が設けられている。
【発明の効果】
【００１２】
請求項１記載の引き戸錠においては、受け金具は、引き戸の框が当接する戸枠の内側に突出して設けられ、閉めた状態の引き戸と戸枠の隙間から、鉤部材の操作ができないので、鉤部材に外力を加えて鉤部材を掛止部から外すことが困難になって、外部からの不法侵入を防止することが可能になる。
【００１３】
請求項２〜６記載の引き戸錠においては、框と戸枠との距離が第１の近接距離になるまでに鉤部材の先部を受け金具内に押し込み、框と戸枠との距離が第２の近接距離となったときに鉤部材を掛止部に引っかけて施錠を行うので、引き戸を戸枠に当接させるだけで自動的に施錠を行うことが可能になる。
【００１４】
特に、請求項３記載の引き戸錠においては、受け金具は、引き戸の框が当接する戸枠の内側に突出して設けられているので、閉めた状態の引き戸と戸枠の隙間から鉤部材の操作を行うことができず、鉤部材に外力を加えて鉤部材を掛止部から外すことが困難になる。その結果、外部からの不法侵入を防止することが可能になる。
【００１５】
請求項４記載の引き戸用錠においては、室外操作部には、リンク機構を反転作動させて鉤部材を掛止部から外して解錠を行う鍵を挿入する鍵穴と、電動機構に解錠信号の１つを送るテンキー操作盤が設けられているので、手動で解錠を行うことが可能になる。その結果、例えば、電動機構への電力供給が停止した場合でも、室外から解錠を行うことが可能になる。
室内操作部には、リンク機構を反転作動させて鉤部材を掛止部から外して解錠を行う解錠つまみが設けられているので、手動で解錠を行うことが可能になる。その結果、例えば、電動機構への電力供給が停止した場合でも、室内から解錠を行うことが可能になる。
また、解錠信号の１つを発信させる解錠スイッチと、室内から引き戸に接近する人を人感センサで検知し解錠信号の１つを発信させる人感解錠手段が設けられているので、室内から自動解錠を行うことが可能になる。
電動機構には、解錠スイッチ及び人感解錠手段によるいずれかの解錠信号を遮断し、解錠が行われた際には警報音を出す警戒手段が設けられているので、不用意に引き戸の解錠が行われるのを防止して引き戸の施錠状態を確実に維持することが可能になる。また、解錠時には警報音を発する機能が設けられているので、不用意の解錠や不法侵入は発生した場合警報音で報知、威嚇することが可能になる。
【００１６】
請求項５記載の引き戸錠においては、警戒手段はテンキー操作盤から電動機構に送られる設定信号により作動するので、外出の際に容易に警戒手段の起動を設定することが可能になる。
【００１７】
請求項６記載の引き戸錠においては、室外操作部及び室内操作部には、共通の無線リモコンと、無線リモコンからの解錠信号の１つ及び／又は警戒手段の設定信号を受信し電動機構に送る受信手段が設けられているので、遠隔から引き戸錠の操作を容易に行うことが可能になる。
更に、無線リモコンから警戒手段の設定信号を送信することができるので、例えば、外出時、就寝時等の警戒が必要なときに容易に警戒手段を起動させることが可能になると共に、不要な時に直ちに停止することが可能になる。
【発明を実施するための最良の形態】
【００１８】
続いて、添付した図面を参照しつつ、本発明を具体化した実施の形態につき説明し、本発明の理解に供する。
ここで、図１は本発明の一実施の形態に係る引き戸錠を取付けた引き戸及び戸枠の説明図、図２は図１の矢視Ａ−Ａ断面図、図３は本発明の一実施の形態に係る引き戸錠の取付け状況を示す説明図、図４（Ａ）、（Ｂ）はそれぞれ同引き戸錠の鉤部材駆動部及び室内操作部を備えた箱錠の側面図、及び正面図、図５は同引き戸錠を取付けた引き戸を閉じ始めた際の鉤部材駆動部の状態を示す側断面図、図６は同引き戸錠を取付けた引き戸を更に閉めて框と戸枠との距離が第２の近接距離となったときの鉤部材駆動部の状態を示す側断面図、図７は同引き戸錠の鉤部材が掛止部に掛止されて施錠が行なわれた状態を示す側断面図、図８は同引き戸錠のブロック図、図９は同引き戸錠の室外操作部の正面図、図１０は同引き戸錠の検出部材の説明図、図１１は同引き戸錠の受け金具の説明図、図１２は同引き戸錠の作動状況を示すフロー図である。
【００１９】
図１〜図３に示すように、本発明の一実施の形態に係る引き戸錠１０は、戸枠１１に横移動可能に取付けられた引き戸の一例である玄関戸１２の框１３の内側に取付けられ、回動して出入する鉤部材１４を備えた鉤部材駆動部１５と、框１３の内側に取付けられ、鉤部材駆動部１５と連通して、玄関戸１２の内側から鉤部材駆動部１５を操作する室内操作部１６を備えた箱錠１７を有している。また、引き戸錠１０は、鉤部材１４に対向して戸枠１１に取付けられ鉤部材１４が嵌入して掛止する掛止部１８を備えた受け金具１９と、框１３の外側に取付けられ、鉤部材駆動部１５と連通して、玄関戸１２の外側から鉤部材駆動部１５を操作する室外操作部２０を有している。以下これらについて、詳細に説明する。
なお、符号２１は明り窓、符号２２は玄関戸１２と対になる玄関戸で、通常開け閉めに使用せず、図示しない錠により戸枠１１に固定されている。また、符号２５は玄関戸１２を玄関戸２２に連結して戸枠１１内で玄関戸１２の横移動を不能にする補助錠である。
【００２０】
図４（Ａ）、（Ｂ）に示すように、箱錠１７は、鉤部材駆動部１５と、鉤部材駆動部１５を操作する室内操作部１６と、これらを収納する保護ケース２３を備えている。
ここで、鉤部材駆動部１５は、図５〜図７に示すように、玄関戸１２を閉じる際に受け金具１９に先部が当接して後退する検出部材２４と、検出部材２４の先部が受け金具１９に当接し、玄関戸１２を更に閉めて框１３と戸枠１１との距離が第１の近接距離になるまでに、検出部材２４の後退に伴い鉤部材１４を回動させて鉤部材１４の先部を受け金具１９内に押し込むリンク機構２６を有している。
更に、鉤部材駆動部１５は、玄関戸１２を更に閉めて検出部材２４が框１３と戸枠１１との距離が第２の近接距離となったことを検知しリンク機構２６を更に強制的に作動させて鉤部材１４を掛止部１８に引っかけて施錠を行ない、室外操作部２０、又は室内操作部１６からの解錠信号を受信しリンク機構２６を強制的に反転作動させて鉤部材１４を掛止部１８から外して解錠を行う電動機構２７を有している。
【００２１】
図８、図９に示すように、室外操作部２０及び室内操作部１６には、共通に使用できる、例えば３台の無線リモコン２８、２９、３０が設けられ、各無線リモコン２８、２９、３０からのリモコン信号をそれぞれ受信し電動機構２７に送る受信手段３１、３２が設けられている。
そして、室外操作部２０には、リンク機構２６を反転作動させて鉤部材１４を掛止部１８から外して解錠を行う鍵３３を挿入する鍵穴３３ａと、電動機構２７にリンク機構２６を反転作動させて鉤部材１４を掛止部１８から外して解錠を行わせる解錠信号の１つであるテンキー解錠信号を送るテンキー操作盤３４が設けられている。また、室外操作部２０には、夜間時の照明用ランプ３５と、施錠時に橙赤色に点灯し解錠時に緑色に点灯する発光ダイオードを用いた動作確認ランプ３６が設けられている。
更に、室外操作部２０には、受信手段３１、テンキー操作盤３４、照明用ランプ３５、及び動作確認ランプ３６用の電源の一例である電池３７を収納する電源部３８が設けられている。なお、電源部３８には、非常用の電池端子３９が設けられている。
【００２２】
図４、図８に示すように、室内操作部１６には、室内操作部１６の表面パネル４０に設けられ、リンク機構２６を反転作動させて鉤部材１４を掛止部１８から外して解錠を行う解錠つまみ４１と、表面パネル４０に設けられた解錠スイッチ４２の操作により解錠信号の１つである解錠スイッチ信号を発生して電動機構２７に送る解錠信号発生器４３が設けられている。ここで、解錠信号発生器４３には、更に、解錠スイッチ４２が長押しされた場合に（例えば、３〜１０秒間）、連続解錠とする連続解錠信号を電動機構２７に送り、再度長押しされた場合に連続解錠停止信号を送る機能が設けられている。
【００２３】
また、室内操作部１６には、室内から玄関戸１２に接近する人が表面パネル４０に設けられた人感センサ４４で検知されたことを受けて解錠信号の１つである人感解錠信号を発生して電動機構２７に送る人感解錠手段４５が設けられている。なお、表面パネル４０には、施錠及び解錠状態を表示する表示部４６が設けられている。
更に、室内操作部１６には、電動機構２７、解錠信号発生器４３、人感解錠手段４５用の電源の一例である電池４７を収納する電源部４８が設けられて、電源部４８には、電池４７の起電力が所定の値以下になった場合に点灯する電池警報ランプ４９が設けられている。なお、符号５０は電源部４８のカバー、符号５１はカバー５０を固定するビスを示す。
【００２４】
検出部材２４は、図１０に示すように、先部が台形状になって保護ケース２３の第１の側部５２に形成された開口部５３から突出して受け金具１９に当接し、基部がコ字状になって保護ケース２３内に収容されている接触片５４と、接触片５４の基部の両端部５５、５６と保護ケース２３の第２の側部５７の内側に設けられた２個の掛止突起５８、５９との間にそれぞれ設けられたバネ６０、６１を有している。また、接触片５４のコ字状となった箇所からは両側に突起６２、６３が形成され、保護ケース２３の第３、第４の側部６４、６５に形成された切欠き部６６、６７にそれぞれ嵌入している。
このような構成とすることにより、接触片５４をバネ６０、６１で押して、第１の側部５２に形成された開口部５３から突出させることができる。そして、玄関戸１２を閉じる際に、受け金具１９に接触片５４の先部を当接させながら、切欠き部６６、６７に沿って突起６２、６３を後退させることができる。このため、受け金具１９に接触片５４の先部が当接してからの玄関戸１２の框１３と戸枠１１との距離を、接触片５４の後退する距離から求めることができる。
【００２５】
リンク機構２６は、図５〜図７に示すように、Ｌ字状に形成されその屈折部で保護ケース２３内に設けられた第１の軸６８に回動可能に軸止めされたアーム部材６９を有している。そして、アーム部材６９の短片７０の先部は、保護ケース２３内に設けられた第２の軸７１に回動可能に軸止めされた鉤部材１４に設けられた長孔７２にピン７３で接続されている。また、アーム部材６９の長片７４は検出部材２４の接触片５４の基部の両端部５５、５６の間に挿通され、両端部５５、５６を貫通するピン７５と長片７４に形成された長孔７６を介して接続されている。なお、ピン７５の両側は切欠き部６６、６７にそれぞれ嵌入している。
更に、鉤部材１４に設けられた掛止部材７７と、アーム部材６９に設けられた掛止部材７８、７９の間には、掛止部材７８で屈折する棒状バネ８０が掛止されている。
【００２６】
電動機構２７は、図８に示すように、リンク機構２６を強制的に作動させて鉤部材１４を回動させて施錠及び解錠を行う電動機構本体８１と、解錠信号を受信して電動機構本体８１に駆動指令を送る制御部８２が設けられている。
更に制御部８２には、テンキー操作盤３４からの設定信号、無線リモコン２８、２９、３０からの設定信号により起動し、解錠信号の１つである無線リモコンからのリモコン解錠信号の中で特定の無線リモコンを除いた残りの無線リモコンからのリモコン解錠信号、解錠信号発生器４３からの解錠スイッチ信号、及び人感解錠手段４５からの人感解錠信号を遮断して解錠を行わず、解錠が行われた際には警報音を発報する警戒手段８３が設けられている。
【００２７】
電動機構本体８１は、保護ケース２３内に設けられ回動可能な第３の軸８４と、第３の軸８４の半径方向外側に向けて設けられた連結軸８５と、連結軸８５に対して所定の角度（例えば、０〜９０°）を保って第３の軸８４の半径方向外側に向けて固着された連結レバー８６を有している。また、電動機構本体８１は、第３の軸８４に取付けられたギヤ８７に接続するギヤ機構８８と、ギヤ機構８８に回転駆動力を与える電動機８９を有している。
ここで、連結軸８５とギヤ８７とはバネ（図示せず）を介して連結している。連結軸８５をギヤ８７を直接連結しないようにすることで、ギヤ８７の回転開始から少し遅れて連結軸８５を回転させることができる。このため、連結軸８５による電動機８９及びギヤ８７への回転開始時の負荷を減少させて、電動機８９及びギヤ８７の破損を防止することができる。
そして、連結軸８５の先部には長孔９０が形成され、この長孔９０とアーム部材６９の長片７４の先部に形成された長孔９１にピン９２を貫通させて、連結軸８５をアーム部材６９に接続している。なお、第３の軸８４の一方側は解錠つまみ４１と連結している。また、第３の軸８４の他方側は鍵穴３３ａ内に設けられ挿入された鍵３３により回動するシリンダーに連結している。
【００２８】
電動機構本体８１は、図５〜図８に示すように、検出部材２４の進退と共に回動するアーム部材６９が所定角度だけ回転したときに検知片９３を押し込んで電動機８９に供給する電源の極性を解錠方向に切り替え、アーム部材６９が所定角度から戻るときに検知片９３が戻って電源の極性を施錠方向に切り替えると共に施錠方向への切り替えが完了したことを切り替え完了信号として出力する機能を備えた第１のスイッチ９３ａを有している。
また、電動機構本体８１は、連結レバー８６の回転角度（検出部材２４が自由位置にある時の連結レバー８６の角度位置が基準）が所定角度（例えば、１５〜２０°）になったことを受けて検知片９４から離れることによりオンして電動機８９に電力を供給し、連結レバー８６が逆回転して同じ回転位置で検知片９４に当接してオフし電動機８９への電力供給を停止する第２のスイッチ９４ａを有している。
【００２９】
更に、電動機構本体８１は、連結レバー８６の回転角度（前記基準位置からの角度）が更に別の所定角度（例えば、５０〜６０°）になったことを受けて検知片９５に当接してオフし電動機８９への電力供給を停止する第３のスイッチ９５ａを有している。
なお、第１のスイッチ９３ａは、外部からの解錠切り替え信号及び施錠切り替え信号により強制的に電動機８９に供給する電源の極性を変える機能を別途備えており、第２のスイッチ９４ａは外部からの一時停止信号により強制的に動作停止し、一時停止解除信号により復帰する機能を別途備えている。また、第３のスイッチ９５ａは、外部からのオン信号及びオフ信号により強制的にオン及びオフし、外部からの一時停止信号により強制的に動作停止し、一時停止解除信号により復帰する機能を別途備えている。
【００３０】
制御部８２は、室内操作部１６、室外操作部２０から送られた解錠信号を受信して、第３のスイッチ９５ａをオンするオン信号を発生して第３のスイッチ９５ａ、及び動作確認ランプ３６に入力する機能を備えている。これによって、解錠動作が行われることを表示できる。
そして、制御部８２には、連続解錠信号を受信した際に、第１のスイッチ９３ａに施錠切り替え信号を送り施錠方向に切り替え、第２及び第３のスイッチ９４ａ、９５ａに一時停止信号を送って強制的に動作停止を行わせ、連続解錠停止信号を受信した際に、第１のスイッチ９３ａに解錠切り替え信号を送り解錠方向に切り替え、第２のスイッチ９４ａ及び３のスイッチ９５ａに一時停止解除信号を送って第２のスイッチ９４ａ及び第３のスイッチ９５ａをそれぞれオフ状態及びオン状態にする機能を有している。
【００３１】
また、制御部８２には、玄関戸１２が戸枠１１に完全に締まっていないことを検知する、例えば近接スイッチがオンしたことを受けて電子音を発する機能を設ける。更に、制御部８２には、鉤部材１４が掛止部１８に掛止されている状態を検知する、例えば近接スイッチのオン及びオフ信号から構成される鉤部材信号を出力する機能を設ける。これによって、動作確認ランプ３６の点灯、消灯、及び表示部４６の表示切り替えを行うことができる。なお、制御部８２は、以上の各機能を発現するプログラムを、例えばマイクロコンピュータに搭載することにより構成することができる。
【００３２】
警戒手段８３は、テンキー操作盤３４からの設定信号、無線リモコン２８、２９、３０からの設定信号により起動し、特定の無線リモコンを除いた残りの無線リモコンからのリモコン解錠信号、解錠信号発生器４３からの解錠スイッチ信号、及び人感解錠手段４５からの人感解錠信号を遮断する機能を備えている。
このような各機能は、例えば、各無線リモコン２８、２９、３０、からのリモコン解錠信号、解錠信号発生器４３からの解錠スイッチ信号、及び人感解錠手段４５からの人感解錠信号をそれぞれコード化しておき、予め設定しておいたコード、すなわち特定の無線リモコンからのリモコン解錠信号のコードと比較して、一致する場合のみその信号を通過させ、一致しない場合はその信号を通過させないようにするプログラムを、例えばマイクロコンピュータに搭載することにより構成することができる。
【００３３】
更に、プログラムには、鉤部材信号の１つである鉤部材１４が掛止部１８から外れたことを示す、例えば、近接スイッチのオフ信号を受けて電子音を発する機能を設ける。これにより、電子音が発生し玄関戸１２が開いたことが容易に判るようになる。
なお、電子音の停止は、テンキー操作盤３４によるコード入力により行うようにする。そして、このプログラムが、テンキー操作盤３４からの設定信号、各無線リモコン２８、２９、３０からの設定信号により起動するようにすることにより警戒手段８３を構成することができる。
【００３４】
図３、図１１に示すように、受け金具１９は、鉤部材１４に対向するように設けられた掛止部１８と、ビス９６を介して取付けられる掛止部１８を支持して戸枠１１に固定される本体部９７を有している。そして、掛止部１８には、鉤部材１４が嵌入する開口部９８が形成されている。
以上のような構成とすることにより、玄関戸１２を閉めて引き戸錠１０の施錠を行う場合、図５に示すように検出部材２４の接触片５４の先部が受け金具１９の掛止部１８に当接して後退を開始する。その動きがピン７５を介してアーム部材６９に伝達され、アーム部材６９は第１の軸６８の回りに回転を始める。このとき、連結レバー８６の先端は、第２のスイッチ９４ａの検知片９４に当接している。
アーム部材６９の短片７０及び長片７４の各長さ、短片７０及び長片７４の屈折角度、鉤部材１４に形成した長孔７２の長さをそれぞれ調整しておくと、検出部材２４のストロークが２０ｍｍの場合、框１３と戸枠１１との距離が第１の近接距離（例えば、１７〜１０ｍｍ、好ましくは１７〜１５ｍｍ）になるまでに、検出部材２４の後退に伴いアーム部材６９を所定の角度だけ第１の軸６８の回りに回転させることができ、それに伴って鉤部材１４を第２の軸７１の回りに回転させて、鉤部材１４の先部を開口部９８から受け金具１９内に押し込むことができる。
【００３５】
また、アーム部材６９の回転に伴って、連結軸８５が移動して、第３の軸８４が回転を始める。このため、第３の軸８４の回転に伴って、連結レバー８６は回転を開始する。
連結軸８５と連結レバー８６の間の角度及び連結レバー８６の長さを調整しておくと、図６に示すように、框１３と戸枠１１との距離が第２の近接距離（例えば、第１の近接距離と同じか、それよりも０〜３ｍｍ近い距離）となったときに、連結レバー８６の先端が第２のスイッチ９４ａの検知片９４から離れるようにすることができる。
このため、第２のスイッチ９４ａがオンして電動機８９が駆動を開始し、ギヤ機構８８を介して電動機８９の回転力がギヤ８７に伝達されて、第３の軸８４が回転を開始する。ここで、第１のスイッチ９３ａの切り替えは行われていないので電動機８９の回転は施錠方向となる。従って、第３の軸８４が回転すると、連結軸８５を介してアーム部材６９が更に回転して、鉤部材１４が開口部９８より受け金具１９内に回転しながら進入して、図７に示すように、掛止部１８に引っかけて施錠を行うことがでいる。
【００３６】
第３のスイッチ９５ａの位置と、検知片９５の長さ及び設置角度を調整しておくと、鉤部材１４が掛止部１８に掛止されたときに、連結レバー８６の回転角度を所定角度以上にして検知片９５に当接させることができる。これによって、第３のスイッチ９５ａがオフになって、電動機８９への電力供給を停止することができる。このため、アーム部材６９の回転を止めて、鉤部材１４の移動を停止することができる。
また、第１のスイッチ９３ａの位置と、検知片９３の長さ及び設置角度を調整すると、鉤部材１４が掛止部１８に掛止されたときのアーム部材６９の回転角度位置で検知片９３を押し込むことができ、第１のスイッチ９３ａにより電動機８９に供給される電源の極性を解錠方向に切り替えることができる。従って、引き戸錠１０の施錠と同時に、引き戸錠１０を解錠の待ち状態にすることができる。
【００３７】
次いで、引き戸錠１０を解錠する場合は、手動による解錠と、自動による解錠が可能になる。
室外から手動で解錠する場合は、鍵穴３３ａに鍵３３を挿入して鍵穴３３ａ内のシリンダーを鍵３３により解錠方向に回転する。第３の軸８４の他方側は鍵穴３３ａ内のシリンダーに連結しているので、鍵を回転させることにより、第３の軸８４を解錠方向に回転することができる。また、室内から手動で解錠する場合は、室内操作部１６の解錠つまみ４１を解錠方向に回転する。第３の軸８４の一方側は解錠つまみ４１に連結しているので、解錠つまみ４１を回転させることにより、第３の軸８４を解錠方向に回転することができる。そして、第３の軸８４が解錠方向に回転することにより、連結軸８５が回転して、連結軸８５に連結しているアーム部材６９を回転させて鉤部材１４を掛止部１８から外すことができる。その結果、図６に示すように、鉤部材１４の先部が開口部９８から受け金具１９内に引き出されている状態にすることができる。
このため、玄関戸１２を戸枠１１から離脱させることができ、玄関戸１２を開けることができる。なお、鉤部材１４の先部が開口部９８から受け金具１９内に引き出された状態では、アーム部材６９が検知片９３に接触した状態となっているので、電動機８９に供給される電源の極性は施錠方向に切り替わっており、引き戸錠１０の解錠と同時に、引き戸錠１０を施錠の待ち状態にすることができる。
【００３８】
室外から自動による解錠は、テンキー操作盤３４、又は無線リモコン２８、２９、３０を用いて行うことができる。
テンキー操作盤３４による解錠は、特定の番号（暗証番号）をテンキー操作盤３４に入力することにより行う。テンキー操作盤３４に特定の番号が入力されると、テンキー操作盤３４から解錠信号の１つであるテンキー解錠信号が発生し、電動機構の２７の制御部８２に入力される。
そして、制御部８２では、このテンキー解錠信号をうけて第３のスイッチ９５ａをオンするオン信号を発生して第３のスイッチ９５ａに入力する。これによって電動機８９に電力が供給される。ここで、第１のスイッチ９３ａにより電動機８９に供給される電源の極性は解錠方向に切り替えられているので、第３の軸８４は施錠時とは逆方向に回転し、連結軸８５を逆回転することができ、アーム部材６９を回転させて鉤部材１４を掛止部１８から徐々に外すことができる。
【００３９】
また、連結軸８５と共に連結レバー８６も逆回転し、連結レバー８６の先部が検知片９４に接触し回転角度が所定角度になったとき、すなわち、鉤部材１４の先部が開口部９８から受け金具１９内に引き出された状態（図６に示す状態）になったときに、第２のスイッチ９４ａをオフして、電動機８９への電力供給を停止することができる。その結果、玄関戸１２を戸枠１１から離脱させることができ、玄関戸１２を開けることができる。なお、鉤部材１４の先部が開口部９８から受け金具１９内に押し込まれた状態（引き出された状態）では、アーム部材６９が検知片９３に接触した状態となっているので、電動機８９に供給される電源の極性は施錠方向に切り替わっており、引き戸錠１０の解錠と同時に、引き戸錠１０を施錠の待ち状態にすることができる。
【００４０】
無線リモコン２８、２９、３０による解錠は、無線リモコン２８、２９、３０に設けられた解錠ボタンを操作することにより行う。解錠ボタンが操作されると、無線リモコン２８、２９、３０からの解錠信号の１つであるコード化されたリモコン解錠信号が発信され室外操作部２０に設けられた受信手段３１を介して制御部８２に入力される。
制御部８２では、このリモコン解錠信号をうけて第３のスイッチ９５ａをオンするオン信号を発生して第３のスイッチ９５ａに入力し、電動機８９を回転させることにより、テンキー操作盤３４による解錠と同様に鉤部材１４を掛止部１８から徐々に外すことができる。
【００４１】
室内から自動による解錠は、解錠スイッチ４２、又は人感解錠手段４５を用いて行うことができる。
解錠スイッチ４２が操作されると、解錠信号発生器４３から解錠信号の１つであるコード化された解錠スイッチ信号が発信されて制御部８２に入力される。また、室内から玄関戸１２に接近する人が人感センサ４４で検知されると人感解錠手段４５が作動し解錠信号の１つであるコード化された人感解錠信号が発信されて制御部８２に入力される。
制御部８２では、これらの解錠信号をうけて第３のスイッチ９５ａをオンするオン信号を発生して第３のスイッチ９５ａに入力し、電動機８９を回転することにより、テンキー操作盤３４による解錠と同様に鉤部材１４を掛止部１８から徐々に外すことができる。
【００４２】
ここで、テンキー操作盤３４、又は無線リモコン２８、２９、３０からの設定信号により警戒手段８３が起動していると、無線リモコン２８、２９、３０からのリモコン解錠信号、解錠信号発生器４３からの解錠スイッチ信号、及び人感解錠手段４５からの人感解錠信号は、警戒手段８３を経由して制御部８２に入力される。
このとき、警戒手段８３では、入力される各信号のコードと特定の無線リモコンからのリモコン解錠信号のコードとを比較して、一致する場合のみその信号を通過させる処理が行われる。このため、警戒手段８３が起動中のときに自動解錠を行うと、テンキー操作盤３４からの暗証番号の入力による解錠操作、特定の無線リモコンによる解錠操作を除いて、引き戸錠１０の解錠は行われないようにすることができる。そして、警戒手段８３が起動中に、玄関戸１２が開いた場合は、電子音が発生して解錠されたことが判る。
なお、警戒手段８３の起動を停止するには、例えば、特定の無線リモコンに設けられた警戒手段停止スイッチの操作、又はテンキー操作盤３４による警戒手段停止のコード入力により行うことができる。
【００４３】
続いて、本発明の一実施の形態に係る引き戸錠１０を自動施錠及び自動解錠する際の動作について説明する。
図１２に示すように、引き戸錠１０のスイッチをオンすると（Ｓ−１）、制御部８２が作動して玄関戸１２が戸枠１１に完全に閉まっているかの確認を行う（Ｓ−２）。玄関戸１２が完全に閉まっていない場合、制御部８２から電子音による警報が発せられる（Ｓ−３）。そして、玄関戸１２が完全に締まっているか再度確認が行われ（Ｓ−４）、玄関戸１２が完全に閉まるまで警報が発せられる。
玄関戸１２が完全に閉まっている場合、又は玄関戸１２が完全に閉められた場合、制御部８２により、鉤部材１４が掛止部１８に掛止されている状態の確認（施錠確認）が行われ、施錠されていない場合は施錠待ちの状態になる（Ｓ−５）。
【００４４】
引き戸錠１０の施錠が確認されると、制御部８２により、警戒手段８３が起動状態であるかの確認が行われる（Ｓ−６）。警戒手段８３が起動していない場合、解錠信号の受信待ちの状態になり（Ｓ−７）、解錠信号が受信されると引き戸錠１０の解錠を行って（Ｓ−８）、施錠待ち状態になる（Ｓ−９）。
一方、警戒手段８３が起動している場合、解錠信号の受信待ちの状態になり（Ｓ−１０）、解錠信号が受信されると引き戸錠１０の解錠を行う（Ｓ−１１）。解錠が行われると、制御部８２より鉤部材１４が掛止部１８から外れたことを示す鉤部材信号が発せられるので、その鉤部材信号を受けて警戒手段８３から電子音による警報が発せられ（Ｓ−１２）、警報はテンキー操作盤３４からのコード入力で解除が行われるまで発せられる（Ｓ−１３）。そして、警報が解錠されると施錠待ち状態になって（Ｓ−９）、再び制御部８２による玄関戸１２が完全に締まっているかの確認が行われる（Ｓ−２）。
【００４５】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の引き戸錠を構成する場合も本発明の権利範囲に含まれる。
例えば、無線リモコンを３個使用できるようにしたが、２個以下、又は４個以上使用できるようにしてもよい。また、解錠スイッチの操作で解錠信号発生器から連続解錠信号及び連続解錠停止信号を発生するようにしたが、テンキー操作盤からのコード入力で連続解錠信号及び連続解錠停止信号を発生させるようにしてもよい。
更に、電源として電池を使用したが、室外操作部に太陽電池を設けて電池と併用できるようにしてもよい。
【図面の簡単な説明】
【００４６】
【図１】本発明の一実施の形態に係る引き戸錠を取付けた引き戸及び戸枠の説明図である。
【図２】図１の矢視Ａ−Ａ断面図である。
【図３】本発明の一実施の形態に係る引き戸錠の取付け状況を示す説明図である。
【図４】（Ａ）、（Ｂ）はそれぞれ同引き戸錠の鉤部材駆動部及び室内操作部を備えた箱錠の側面図、及び正面図である。
【図５】同引き戸錠を取付けた引き戸を閉じ始めた際の鉤部材駆動部の状態を示す側断面図である。
【図６】同引き戸錠を取付けた引き戸を更に閉めて框と戸枠との距離が第２の近接距離となったときの鉤部材駆動部の状態を示す側断面図である。
【図７】同引き戸錠の鉤部材が掛止部に掛止されて施錠が行なわれた状態を示す側断面図である。
【図８】同引き戸錠のブロック図である。
【図９】同引き戸錠の室外操作部の正面図である。
【図１０】同引き戸錠の検出部材の説明図である。
【図１１】同引き戸錠の受け金具の説明図である。
【図１２】同引き戸錠の作動状況を示すフロー図である。
【図１３】従来例に係る引き戸錠の説明図である。
【符号の説明】
【００４７】
１０：引き戸錠、１１：戸枠、１２：玄関戸、１３：框、１４：鉤部材、１５：鉤部材駆動部、１６：室内操作部、１７：箱錠、１８：掛止部、１９：受け金具、２０：室外操作部、２１：明り窓、２２：玄関戸、２３：保護ケース、２４：検出部材、２５：補助錠、２６：リンク機構、２７：電動機構、２８、２９、３０：無線リモコン、３１、３２：受信手段、３３：鍵、３３ａ：鍵穴、３４：テンキー操作盤、３５：照明用ランプ、３６：動作確認ランプ、３７：電池、３８：電源部、３９：電池端子、４０：表面パネル、４１：解錠つまみ、４２：解錠スイッチ、４３：解錠信号発生器、４４：人感センサ、４５：人感解錠手段、４６：表示部、４７：電池、４８：電源部、４９：電池警報ランプ、５０：カバー、５１：ビス、５２：第１の側部、５３：開口部、５４：接触片、５５、５６：端部、５７：第２の側部、５８、５９：掛止突起、６０、６１：バネ、６２、６３：突起、６４：第３の側部、６５：第４の側部、６６、６７：切欠き部、６８：第１の軸、６９：アーム部材、７０：短片、７１：第２の軸、７２：長孔、７３：ピン、７４：長片、７５：ピン、７６：長孔、７７、７８、７９：掛止部材、８０：棒状バネ、８１：電動機構本体、８２：制御部、８３：警戒手段、８４：第３の軸、８５：連結軸、８６：連結レバー、８７：ギヤ、８８：ギヤ機構、８９：電動機、９０、９１：長孔、９２：ピン、９３：検知片、９３ａ：第１のスイッチ、９４：検知片、９４ａ：第２のスイッチ、９５：検知片、９５ａ：第３のスイッチ、９６：ビス、９７：本体部、９８：開口部
【図１】
2005163376.tif 000003
【図２】
2005163376.tif 000004
【図３】
2005163376.tif 000005
【図４】
2005163376.tif 000006
【図５】
2005163376.tif 000007
【図６】
2005163376.tif 000008
【図７】
2005163376.tif 000009
【図８】
2005163376.tif 000010
【図９】
2005163376.tif 000011
【図１０】
2005163376.tif 000012
【図１１】
2005163376.tif 000013
【図１２】
2005163376.tif 000014
【図１３】
2005163376.tif 000015